(57)【要約】【課題】電子機器を装着して、当該電子機器の電源システム内に貯留された水を回収して処理するとともに、電源システムの動作に必要な水を電源システム内に残しておくことができる自動販売機を提供する。【解決手段】電子機器装着部１０２が自動販売機１００に設けられ、電子機器装着部１０２の底部にコネクタ１０３，１０４，コネクタ１０５が設けられている。生成水排出注入コネクタ１０３がポンプ１１２，１１３を介して生成水回収タンク１１４に接続され、ポンプ１１２により生成水タンク９内の全ての水が生成水回収タンク１１４に送られた後、ポンプ１１３により生成水回収タンク１１４から所定量の水が電子機器１の生成水タンク９に送られる。生成水回収タンク１１４が配管１１５を介して蒸発器１１６に接続され、生成水回収タンク１１４の水を蒸発器１１６により外部に蒸散させる。【選択図】図１
2008041497.tif 000002
【特許請求の範囲】
【請求項１】
燃料電池を有する電源システムを備える電子機器を着脱可能とする電子機器装着部と、
前記電子機器装着部に装着された前記電子機器の前記燃料電池で生成された水を回収する水回収手段と、前記水回収手段により回収された水を蓄積する蓄積部と、前記電子機器に、所望量の水を残すように制御する手段を有する制御部と、を有する生成水回収部と、
を備えることを特徴とする生成水回収装置。
【請求項２】
前記生成水回収部は、更に、前記電子機器に水を供給する水供給手段を備え、
前記制御部は、前記水回収手段により前記電子機器内の全ての水を回収した後、前記水供給手段により前記電子機器に前記所望量の水を送るように制御することを特徴とする請求項１に記載の生成水回収装置。
【請求項３】
前記所望量の値は、前記電子機器における前記電源システムの起動に必要な水の量であることを特徴とする請求項１に記載の生成水回収装置。
【請求項４】
前記制御部は、前記電子機器から前記所望量の値を読み取る手段を有することを特徴とする請求項１に記載の生成水回収装置。
【請求項５】
前記生成水回収部は、更に、前記蓄積部に蓄積された水を蒸発させて外部へ放出する蒸発器を備えることを特徴とする請求項１に記載の生成水回収装置。
【請求項６】
前記蒸発器は、前記蓄積部に蓄積された水を加熱する加熱手段を備えることを特徴とする請求項５に記載の生成水回収装置。
【請求項７】
複数の商品見本から選択された商品に対応する決済処理を行う手段と、前記選択された商品を取り出す手段と、を有する商品販売部と、
燃料電池を有する電源システムを備える電子機器を着脱可能とする電子機器装着部と、前記電子機器装着部に装着された前記電子機器の前記燃料電池で生成された水を回収する水回収手段と、前記水回収手段により回収された水を蓄積する蓄積部と、前記電子機器に、所望量の水を残すように制御する手段を有する制御部と、を有する生成水回収部と、
を備えることを特徴とする自動販売機。
【請求項８】
前記生成水回収部は、更に、前記生成水容器に水を供給する水供給手段を有し、
前記制御部は、前記水回収手段により前記電子機器内の全ての水を回収した後、前記水供給手段により前記電子機器に前記所望量の水を送るように制御することを特徴とする請求項７に記載の自動販売機。
【請求項９】
前記所望量の値は、前記電子機器の前記電源システムの起動に必要な水の量であることを特徴とする請求項７に記載の自動販売機。
【請求項１０】
前記制御部は、前記電子機器から前記所望量の値を読み取る手段を有することを特徴とする請求項７に記載の自動販売機。
【請求項１１】
前記自動販売機は、更に、前記電子機器に発電用燃料を供給する燃料供給部を備えることを特徴とする請求項７に記載の自動販売機。
【請求項１２】
前記制御部は、前記燃料供給部より前記電子機器に前記発電用燃料を供給するとともに、前記電子機器に前記所望量の水を残すように制御することを特徴とする請求項１１に記載の自動販売機。
【請求項１３】
前記制御部は、前記商品販売部において前記複数の商品見本から前記発電用燃料が選択されたときに、前記燃料供給部より前記電子機器に前記発電用燃料を供給するように制御することを特徴とする請求項１１に記載の自動販売機。
【請求項１４】
前記自動販売機は、前記商品販売部における前記決済処理として、前記電子機器から受信した認証情報に基づく電子決済手段を備えることを特徴とする請求項７に記載の自動販売機。
【請求項１５】
前記自動販売機は、前記蓄積部に蓄積された水を蒸発させて外部へ放出する蒸発器を備えることを特徴とする請求項７に記載の自動販売機。
【請求項１６】
前記蒸発器は、前記蓄積部に蓄積された水を加熱する加熱手段を備えることを特徴とする請求項１５に記載の自動販売機。
【発明の詳細な説明】
【技術分野】
【０００１】
本発明は、燃料電池を有する電源システムを備える電子機器が着脱可能とされる生成水回収装置およびそれを備える自動販売機に関する。
【背景技術】
【０００２】
近年では、携帯電話機、ノート型パーソナルコンピュータ、デジタルカメラ、腕時計、ＰＤＡ（Personal Digital Assistance）、電子手帳等といった携帯型の電子機器がめざましい進歩・発展を遂げている。このような電子機器における消費電力の増加に対応して、その電源システムとして、燃料電池を用いたものが提案されている。この燃料電池においては、発電を行うためにメタノール等の発電用燃料を必要とする。そこで、街中に多数設置されている、種々の商品を販売する自動販売機にこのような電子機器を着脱可能とし、電子機器に発電用の燃料を補充する機能を備えさせる構成が提案されている（特許文献１参照。）。
【特許文献１】特開２００５−２０９１１６号公報
【発明の開示】
【発明が解決しようとする課題】
【０００３】
ところで、燃料電池では、発電により電力を取り出すと、同時に水（生成水）が生成される。生成された水は、燃料電池を有する電源システム内の生成水容器に貯留される。また、電源システム内の生成水容器に生成水が満たされてしまうと、それ以上燃料電池で電力を取り出すことができないので、生成水容器を交換するか、生成水容器内に貯留された生成水を排出する必要がある。しかしながら、燃料電池で発電を行うためには、発電用燃料だけでなく、燃料電池の起動及び動作用にある程度の量の水も必要である。生成水容器に貯留されている水を燃料電池の起動及び動作に用いる構成である場合、生成水容器を空にしてしまうと、燃料電池の起動や動作ができなくなってしまうという問題があった。
【０００４】
そこで、本発明は、上記のような問題点を解決しようとしてなされたものであり、種々の商品を販売する自動販売機において、燃料電池を有する電源システムを備える電子機器を装着して、当該電子機器の電源システム内に貯留された水を回収して処理するとともに、電源システムの動作に必要な水を電源システム内に残しておくことができるようにすることを目的とする。
【課題を解決するための手段】
【０００５】
以上の課題を解決するために、請求項１に係る発明は、燃料電池を有する電源システムを備える電子機器を着脱可能とする電子機器装着部と、前記電子機器装着部に装着された前記電子機器の前記燃料電池で生成された水を回収する水回収手段と、前記水回収手段により回収された水を蓄積する蓄積部と、前記電子機器に、所望量の水を残すように制御する手段を有する制御部と、を有する生成水回収部と、を備えることを特徴とする。
【０００６】
請求項２に係る発明は、請求項１に記載の生成水回収装置において、前記生成水回収部は、更に、前記電子機器に水を供給する水供給手段を備え、前記制御部は、前記水回収手段により前記電子機器内の全ての水を回収した後、前記水供給手段により前記電子機器に前記所望量の水を送るように制御することを特徴とする。
【０００７】
請求項３に係る発明は、請求項１に記載の生成水回収装置において、前記所望量の値は、前記電子機器における前記電源システムの起動に必要な水の量であることを特徴とする。
【０００８】
請求項４に係る発明は、請求項１に記載の生成水回収装置において、前記制御部は、前記電子機器から前記所望量の値を読み取る手段を有することを特徴とする。
【０００９】
請求項５に係る発明は、請求項１に記載の生成水回収装置において、前記生成水回収部は、更に、前記蓄積部に蓄積された水を蒸発させて外部へ放出する蒸発器を備えることを特徴とする。
【００１０】
請求項６に係る発明は、請求項５に記載の生成水回収装置において、前記蒸発器は、前記蓄積部に蓄積された水を加熱する加熱手段を備えることを特徴とする。
【００１１】
請求項７に係る発明は、複数の商品見本から選択された商品に対応する決済処理を行う手段と、前記選択された商品を取り出す手段と、を有する商品販売部と、燃料電池を有する電源システムを備える電子機器を着脱可能とする電子機器装着部と、前記電子機器装着部に装着された前記電子機器の前記燃料電池で生成された水を回収する水回収手段と、前記水回収手段により回収された水を蓄積する蓄積部と、前記電子機器に、所望量の水を残すように制御する手段を有する制御部と、を有する生成水回収部と、を備えることを特徴とする。
【００１２】
請求項８に係る発明は、請求項７に記載の自動販売機において、前記生成水回収部は、更に、前記生成水容器に水を供給する水供給手段を有し、前記制御部は、前記水回収手段により前記電子機器内の全ての水を回収した後、前記水供給手段により前記電子機器に前記所望量の水を送るように制御することを特徴とする。
【００１３】
請求項９に係る発明は、請求項７に記載の自動販売機において、前記所望量の値は、前記電子機器の前記電源システムの起動に必要な水の量であることを特徴とする。
【００１４】
請求項１０に係る発明は、請求項７に記載の自動販売機において、前記制御部は、前記電子機器から前記所望量の値を読み取る手段を有することを特徴とする。
【００１５】
請求項１１に係る発明は、請求項７に記載の前記自動販売機は、更に、前記電子機器に発電用燃料を供給する燃料供給部を備えることを特徴とする。
【００１６】
請求項１２に係る発明は、請求項１１に記載の自動販売機において、前記制御部は、前記燃料供給部より前記電子機器に前記発電用燃料を供給するとともに、前記電子機器に前記所望量の水を残すように制御することを特徴とする。
【００１７】
請求項１３に係る発明は、請求項１１に記載の自動販売機において、前記制御部は、前記商品販売部において前記複数の商品見本から前記発電用燃料が選択されたときに、前記燃料供給部より前記電子機器に前記発電用燃料を供給するように制御することを特徴とする。
【００１８】
請求項１４に係る発明は、請求項７に記載の自動販売機において、前記自動販売機は、前記商品販売部における前記決済処理として、前記電子機器から受信した認証情報に基づく電子決済手段を備えることを特徴とする。
【００１９】
請求項１５に係る発明は、請求項７に記載の自動販売機において、前記自動販売機は、前記蓄積部に蓄積された水を蒸発させて外部へ放出する蒸発器を備えることを特徴とする。
【００２０】
請求項１６に係る発明は、請求項１５に記載の自動販売機において、前記蒸発器は、前記蓄積部に蓄積された水を加熱する加熱手段を備えることを特徴とする。
【発明の効果】
【００２１】
本発明によれば、生成水回収装置およびそれを備える自動販売機において、燃料電池を有する電源システムを備える電子機器が着脱可能とされる電子機器装着部を備え、装着された電子機器の電源システム内に貯留された生成水を回収して処理することができるとともに、当該電源システムの動作に必要な水を電源システム内に残して、電源システムの起動等に支障が生じないようにすることができる。
【発明を実施するための最良の形態】
【００２２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２３】
図１は、本発明を適用した実施形態における電子機器１及び自動販売機１００の正面図である。また、図２は電子機器１における電源システム２００の構成の一例を示すブロック図である。なお、図１において、便宜上、自動販売機１００に対して電子機器１を大きく図示している。電子機器１は、例えば携帯電話機、ノート型パーソナルコンピュータ、デジタルカメラ、腕時計、ＰＤＡ（Personal Digital Assistance）、電子手帳等といった携帯型電子機器であって、後述する燃料電池を有する電源システム２００を備えるものである。自動販売機１００は、複数の商品見本から選択された商品を販売する商品販売部を備えるとともに、後述する燃料供給部及び生成水回収部をもつものである。
【００２４】
図１に示すように、自動販売機１００の正面には、商品販売部として、商品見本陳列部１０６、商品選択ボタン部１０７、硬貨・紙幣投入部１０８及び商品取り出し口１０９が設けられている。購入者が硬貨・紙幣投入部１０８に硬貨又は紙幣を投入し、商品見本陳列部１０６に陳列された見本から商品を選択し、選択した商品に対応するボタンを商品選択ボタン部１０７の中から選択して押下すると、その商品が商品取り出し口１０９に出てくる。また、自動販売機１００には、燃料供給部としての燃料供給コネクタ１０５、ポンプ１１１及び燃料タンク１１０、並びに、生成水回収部としての生成水排出注入コネクタ１０３、ポンプ１１２，１１３、生成水回収タンク（蓄積部）１１４、配管１１５及び蒸発器１１６が内蔵されている。また、自動販売機１００の正面には、電子機器装着部１０２が設けられ、電子機器装着部１０２の底部に生成水排出注入コネクタ１０３、ＵＳＢコネクタ１０４及び燃料供給コネクタ１０５が設けられている。ここで、生成水排出注入コネクタ１０３、ポンプ１１２，１１３、生成水回収タンク（蓄積部）１１４、配管１１５及び蒸発器１１６からなる生成水回収部と電子機器装着部１０２とを有するものが、本発明における生成水回収装置に相当する。
【００２５】
電子機器１の下面には、生成水排出注入コネクタ３、ＵＳＢコネクタ４及び燃料導入コネクタ５が設けられている。電子機器１を電子機器装着部１０２に装着すると、電子機器１の生成水排出注入コネクタ３が自動販売機１００の生成水排出注入コネクタ１０３に接続され、電子機器１のＵＳＢコネクタ４が自動販売機１００のＵＳＢコネクタ１０４に接続され、電子機器１の燃料導入コネクタ５が自動販売機１００の燃料供給コネクタ１０５に接続される。なお、本実施形態の自動販売機１００における商品販売部は、後述するように、電子機器装着部１０２に装着された電子機器１との認証情報に基づく電子決済サーバとの電子決済によって商品を購入することができる機能を備えているものとする。
【００２６】
電子機器１は電源システム２００を備えている。電源システム２００は、図１及び図２に示すように、燃料タンク（燃料容器）６、燃料電池型発電部７、冷却部８、生成水タンク９及びポンプ１０を有する。燃料タンク６には液体燃料（例えば、メタノール、エタノール、ジメチルエーテル）が貯留されている。燃料タンク６は燃料導入コネクタ５に接続され、燃料タンク６への燃料の注入が燃料導入コネクタ５を通じて行われる。
【００２７】
生成水タンク９には燃料電池型発電部７により生成されて回収された水及び燃料電池型発電部７の起動に必要な水が貯留されている。ポンプ１０は生成水タンク９の水を吸引し、その吸引した水を燃料電池型発電部７に送液するものである。燃料電池型発電部７は例えば気化器、改質器、一酸化炭素除去器及び発電セル等から構成されており、燃料タンク６の燃料が気化器に送液され、気化器において燃料と水が混合され、加熱されて気化され、改質器によって燃料と水の混合気から改質ガス（水素、二酸化炭素、一酸化炭素等を含む。）が生成され、一酸化炭素除去器によって改質ガス中の一酸化炭素が除去され、発電セルにおいて改質ガス中の水素と空気中の酸素との電気化学反応が起こることで電力が取り出されるとともに水（水蒸気）が生成される。なお、燃料電池型発電部７は気化器及び発電セル等から構成されたものでもよい。この場合、燃料タンク６の燃料が気化器に送液され、気化器において燃料と水が混合されて気化され、発電セルにおいて燃料・水と空気中の酸素との電気化学反応が起こることで電力が取り出されるとともに水（水蒸気）が生成される。
【００２８】
燃料電池型発電部７で生成された水蒸気は冷却部８に送られる。冷却部８は熱交換器等を有し、水蒸気を冷却して液体状の水にする。冷却され液体化された水は冷却部８から生成水タンク９に送られて、生成水タンク９に貯留される。生成された水蒸気中の液体化しきれなかった残りの水蒸気は冷却部８から排出される。また、生成水タンク９は生成水排出注入コネクタ３に接続され、生成水タンク９への水の注入や生成水タンク９からの水の排出が生成水排出注入コネクタ３を通じて行われる。
【００２９】
図３は、本実施形態の自動販売機１００における、燃料供給部及び生成水回収部に係わる部分の構成を示すブロック図である。図３に示すように、自動販売機１００は、生成水排出注入コネクタ１０３、燃料タンク１１０、ポンプ１１１〜１１３、生成水回収タンク（蓄積部）１１４、及び蒸発器１１６を有する。ポンプ（水回収手段）１１２は生成水排出注入コネクタ１０３側から水を吸引するとともに、その吸引した水を生成水回収タンク１１４に送液するものである。ポンプ（水供給手段）１１３は生成水回収タンク１１４から水を吸引するとともに、その吸引した水を生成水排出注入コネクタ１０３に送液する。ポンプ１１１は、燃料タンク１１０から燃料を吸引するとともに、その吸引した燃料を燃料供給コネクタ１０５に送液する。
【００３０】
図１に示すように、配管１１５の一端が生成水回収タンク１１４の底よりも高い位置において生成水回収タンク１１４に接続され、配管１１５の他端が蒸発器１１６に接続されている。この蒸発器１１６は、配管１１５と生成水回収タンク１１４との接続部よりも低い位置に配置されている。そのため、生成水回収タンク１１４内の水が配管１１５の接続部まで貯まったら、生成水回収タンク１１４内の水が重力によって配管１１５を通って蒸発器１１６に送られる。一方、生成水回収タンク１１４内の水が配管１１５の接続部まで貯まっていない場合には、生成水回収タンク１１４内の水が蒸発器１１６へ送られない。なお、蒸発器１１６を設けずに、生成水回収タンク１１４内の水が配管１１５を通じて外部に排水される構成であってもよい。
【００３１】
蒸発器１１６は、例えば生成水回収タンク１１４から送られてきた水を一時的に貯める蒸発皿と、その蒸発皿を加熱するヒータ（加熱手段）１１７（図４に図示）とを有して構成される。この蒸発器１１６は、ヒータ１１７で蒸発皿を加熱することによってその蒸発皿の上の水を蒸発させるものである。なお、蒸発器１１６にヒータ１１７を設けずに、蒸発皿に送られた水を自然に蒸発させても良いし、蒸発皿に向けて強制対流を起こして水を蒸発させても良い。また、蒸発器１１６は蒸発皿の代わりに吸液材（例えば、セラミック多孔質材）を有するものとしても良い。この場合、生成水回収タンク１１４から送られて来た水が吸液材に吸収され、ヒータ１１７によって吸液材を加熱することで、水が蒸発して吸液材から蒸散される。
【００３２】
図４は、本実施形態における自動販売機１００の回路構成を示すブロック図である。本実施形態における自動販売機１００には、電子機器１と図４に示すように、ヒータ電力供給部１１８、電子決済処理部１１９、制御部１２０、ポンプ駆動部１２１〜１２３及び商品販売部１２４が設けられている。
【００３３】
制御部１２０は、ＣＰＵ、ＲＡＭ、ＲＯＭ等を有するマイクロコンピュータである。ＲＯＭには制御部１２０にとって読取可能なプログラムが格納され、このプログラムに従った処理を制御部１２０が行う。
【００３４】
ポンプ駆動部１２１〜１２３はそれぞれポンプ１１１〜１１３を駆動するものである。制御部１２０によってポンプ駆動部１２１〜１２３が制御されることによって、ポンプ１１１〜１１３が作動したり、送液量を変更したり、停止したりする。
【００３５】
ヒータ電力供給部１１８はヒータ１１７に電力を供給するものである。制御部１２０がヒータ電力供給部１１８を制御することによって、ヒータ電力供給部１１８による電力供給のオン・オフや供給電力の制御が行われる。
【００３６】
電子決済処理部１１９は、電子機器装着部１０２に装着された電子機器１とＵＳＢコネクタ１０４を介して通信するとともにネットワーク経由で電子決済サーバと通信することによって電子決済処理を行う。
【００３７】
商品販売部１２４は、商品販売に関する処理を行う。
【００３８】
次に、自動販売機１００において、電子決済処理によって電子機器１用の発電用燃料を購入する場合の動作について説明する。図５は、本実施形態の自動販売機の電子決済処理部１１９及び制御部１２０により行われる処理の流れを示したフローチャートである。なお、ステップＳ１〜ステップＳ７は電子決済処理部１１９において行われる処理であり、ステップＳ２１〜ステップＳ２６は制御部１２０において行われる処理である。
まず、電子機器１が電子機器装着部１０２に装着される前では、ポンプ１１１〜１１３が停止している。この状態において、図５に示すように、電子決済処理部１１９は、電子機器装着部１０２に電子機器１が装着されるのを待機している（ステップＳ１：Ｎｏ）。更に、制御部１２０は、電子決済処理部１１９から購入可能金額情報が転送されるのを待機している（ステップＳ２１：Ｙｅｓ）。
【００３９】
電子機器１が電子機器装着部１０２に装着されると、電子機器１の生成水排出注入コネクタ３が生成水排出注入コネクタ１０３に接続され、電子機器１のＵＳＢコネクタ４がＵＳＢコネクタ１０４に接続され、電子機器１の燃料導入コネクタ５が燃料供給コネクタ１０５に接続される。電子機器１のＵＳＢコネクタ４がＵＳＢコネクタ１０４に接続されることによって電子決済処理部１１９が電子機器１の装着を認識する（ステップＳ１：Ｙｅｓ）。なお、ここでは電子機器１のＵＳＢコネクタ４がＵＳＢコネクタ１０４に接続されることによって電子機器１の装着を認識する構成としたが、別途、例えば機械的な押し圧スイッチや光センサ等によって電子機器１の装着を認識する機構を備えるものであってもよい。
【００４０】
続いて、電子決済処理部１１９がＵＳＢコネクタ１０４、ＵＳＢコネクタ４を介して電子機器１に認証情報を要求する（ステップＳ２）。そして、電子機器１から電子決済処理部１１９に認証情報が転送され、電子決済処理部１１９が認証情報を用いて電子決済サーバと通信する（ステップＳ３）。その通信の結果、電子決済サーバによって認証されなければ（ステップＳ４：Ｎｏ）、電子決済処理部１１９の処理がステップＳ１に戻り、電子決済サーバによって認証されたら（ステップＳ４：Ｙｅｓ）、電子決済処理部１１９の処理がステップＳ５に移行する。
【００４１】
ステップＳ５では、電子決済処理部１１９が、例えば電子決済サーバにおける認証情報に基づく口座にて使用可能な金額として、購入可能金額情報を電子決済サーバに要求する。購入可能金額情報が電子決済処理部１１９に受信されたら、電子決済処理部１１９がその購入可能金額情報を制御部１２０に転送する。続いて、電子決済処理部１１９は制御部１２０から購入代金情報が転送されるのを待機する（ステップＳ６：Ｎｏ）。
【００４２】
一方、購入可能金額情報が電子決済処理部１１９から制御部１２０に転送されたら（ステップＳ２１：Ｙｅｓ）、購入可能金額で購入できる商品の情報を制御部１２０が商品販売部１２４に転送して、商品販売部１２４を購入可能金額情報に従って購入可能状態にさせる（ステップＳ２２）。そして、制御部１２０が、商品販売部１２４からの購入完了の通知を待つ（ステップＳ２３：Ｎｏ）。購入者が商品選択ボタン部１０７の対応するボタンを選択して押下すると、商品販売部１２４から制御部１２０に購入完了の通知が転送され（ステップＳ２３：Ｙｅｓ）、商品販売部１２４から制御部１２０に購入代金情報が転送され、更に、制御部１２０から電子決済処理部１１９に購入代金情報が転送される（ステップＳ２４）。
【００４３】
続いて、購入者が商品選択ボタン部１０７の発電用燃料の購入に対応するボタンを選択して押下したとき、ステップＳ２５では、制御部１２０がポンプ駆動部１２１を制御することによってポンプ１１１が作動し、燃料タンク１１０内の燃料がポンプ１１１に吸引されて、その吸引された燃料がポンプ１１１によって燃料供給コネクタ１０５、燃料導入コネクタ５を通って電子機器１の燃料タンク６に送られる。そして、所定量の燃料が送液されたら、制御部１２０がポンプ駆動部１２１を介してポンプ１１１を停止する。燃料の供給後、制御部１２０は水回収処理（ステップＳ２６）を行ってからステップＳ２１に戻る。
【００４４】
一方、電子決済処理部１１９に制御部１２０から購入代金情報が転送されたら（ステップＳ６：Ｙｅｓ）、電子決済処理部１１９が電子決済サーバに購入代金情報を送信し（ステップＳ７）、電子決済処理部１１９の処理がステップＳ１に戻る。これにより、電子決済が完了し、電子機器１の決済機能で指定されている口座から購入代金が引き落とされる。なお、上記においては、電子決済処理によって電子機器１用の燃料を購入する場合について説明したが、自動販売機１００の硬貨・紙幣投入部１０８に硬貨又は紙幣を投入することによって電子機器１用の燃料を購入する構成であってもよい。
【００４５】
次に、制御部１２０の水回収処理について説明する。図６は、本実施形態の自動販売機１００における水回収処理の流れを示したフローチャートである。
燃料供給（ステップＳ２５）後、制御部１２０が、ポンプ駆動部１２２に指令を出して、ポンプ駆動部１２２によりポンプ１１２を駆動する（ステップＳ３１）。ポンプ１１２によって電子機器１の生成水タンク９内の水が生成水回収タンク１１４に送液される。そして、生成水タンク９内の全ての水が生成水回収タンク１１４に送られたら、制御部１２０がポンプ駆動部１２２に指令を出して、ポンプ１１２を停止させる。ここで、生成水タンク９内の全ての水が生成水回収タンク１１４に送られたか否かの判断は、例えば、ポンプ１１２より液送され、生成水回収タンク１１４に貯留される水量を検出し、生成水回収タンク１１４における水量の増加が停止したとき、生成水タンク９内の全ての水が送られたと判断するようにしてもよい。また、生成水排出注入コネクタ１０３とポンプ１１２との間の流路に流れる水量を検出し、この流路に流れる水量がゼロになったときに、生成水タンク９内の全ての水が送られたと判断するようにしてもよい。
【００４６】
続いて、制御部１２０はＵＳＢコネクタ１０４、ＵＳＢコネクタ４を介して電子機器１の制御部に、電子機器１が有する電源システム２００における燃料電池型発電部７の起動時又は起動時を含む動作（発電動作）に必要な水量（水量データＶｎ）を要求する。その要求を受けた電子機器１の制御部は水量データＶｎを制御部１２０に送信し、制御部１２０は水量データＶｎを受信する。これにより、制御部１２０は、水量データＶｎを読み取る（ステップＳ３２）。
【００４７】
続いて、制御部１２０が、ポンプ駆動部１２３に指令を出して、ポンプ駆動部１２３によりポンプ１１３を駆動する（ステップＳ３３）。ポンプ１１３によって、生成水回収タンク１１４内の水が生成水タンク９に送液される。そして、水量データＶｎだけの水が生成水タンク９に送液されたら、制御部１２０がポンプ駆動部１２３に指令を出して、ポンプ１１３を停止させる。そして、水回収処理が終了する。
【００４８】
なお、ステップＳ３２の処理はステップＳ３１の処理の前に行われても良い。また、ステップＳ３１の処理の前にステップＳ３２の処理が行われる場合、ポンプ１１２によって生成水タンク９内の水が生成水回収タンク１１４に送液されている時に、生成水タンク９内の全ての水が水量データＶｎだけになったら、制御部１２０がポンプ駆動部１２２に指令を出して、ポンプ１１２を停止させても良い。この場合、制御部１２０はステップＳ３３の処理を行わずに水回収処理を終了する。ここで、水量データＶｎだけの水が液送されたか否かの判断は、例えば、ポンプ１１２の動作時間が水量データＶｎを送るだけの時間に達したときに、水量データＶｎが送られたと判断するようにしてもよい。また、生成水排出注入コネクタ１０３とポンプ１１２との間の流路に流れる水量を検出し、この流路に流れる水量の積算量が水量データＶｎに達したときに、水量データＶｎが送られたと判断するようにしてもよい。
【００４９】
以上のように、本実施形態によれば、電子機器１の生成水タンク９内の水の全てを生成水回収タンク１１４に回収した後、電子機器１の電源システム２００における燃料電池型発電部７の起動時を含む動作に必要な水量データＶｎだけの水が電子機器１の生成水タンク９に供給されるので、燃料電池型発電部７の起動時を含む動作に必要な水を生成水タンク９に残すことができる。また、水量データＶｎを電子機器１から得ることにより、それぞれの電子機器に対応した適切な量の水を残しておくことができる。
【００５０】
なお、上記においては、電子機器１の生成水タンク９に水量Ｖｎだけの水を残すために、生成水タンク９内の水を全て回収した後、生成水タンク９に水量Ｖｎの水を供給する構成としたが、例えば、生成水タンク９に水量Ｖｎの水を残すために生成水タンク９から回収すべき水の量を電子機器１から得ることができる場合には、生成水タンク９からこの回収量だけの水を生成水回収タンク１１４に送ることによって、生成水タンク９に水量Ｖｎの水を残すようにしてもよい。
【００５１】
また、生成水回収タンク１１４に蓄積された水の水位が配管１１５との接続部までになったら、生成水回収タンク１１４内の水が排出されるので、生成水回収タンク１１４に蓄積された水がなくなることがない。そのため、電子機器１に供給するための水量を生成水回収タンク１１４に残した状態に保つことができる。
【００５２】
また、生成水回収タンク１１４に回収した水の水位が配管１１５との接続部までになったら、生成水回収タンク１１４内の水が配管１１５に排出され、蒸発器１１６において蒸発して蒸散されるので、生成水回収タンク１１４内の水を定期的に回収する必要もなくなる。
【００５３】
なお、本発明は、上記実施の形態に限定されることなく、本発明の趣旨を逸脱しない範囲で種々の改良並びに設計の変更を行っても良い。
【００５４】
上記実施形態では蒸発器１１６を生成水回収タンク１１４から送られてきた水を蒸発させるための専用のものとしたが、例えば自動販売機１００が冷蔵機能を有する場合に、その冷蔵ユニットに結露した結露水や除霜時に生じた除霜水を回収して蒸発させるための蒸発器と兼用しても良い。
【００５５】
また、自動販売機１００が紙コップ式自動販売機である場合、廃液タンクが設けられており、生成水回収タンク１１４を廃液タンクと兼ねても良い。
【００５６】
また、上記実施形態では制御部１２０と電子機器１との間のデータ転送や、電子決済処理部１１９と電子機器１との間のデータ転送がＵＳＢコネクタ４及びＵＳＢコネクタ１０４を通じて行われていたが、無線等の他の手段によりデータ転送が行われても良い。
【００５７】
また、上記実施形態では生成水回収タンク１１４内の水が自然に蒸発器１１６に送られるような構成となっているが、例えば生成水回収タンク１１４内の水量をセンサで検出し、そのセンサの検出値が所定閾値を越えたら、バルブを開弁して、そのバルブを通じて蒸発器１１６に送るような構成としても良い。
【図面の簡単な説明】
【００５８】
【図１】本発明を適用した実施形態における自動販売機及び電子機器の概略正面図である。
【図２】電子機器における電源システム２００の構成の一例を示すブロック図である。
【図３】本実施形態の自動販売機における燃料供給機能及び水回収機能に係わる部分の構成を示すブロック図である。
【図４】本実施形態における自動販売機の回路構成を示すブロック図である。
【図５】本実施形態の自動販売機の電子決済処理部と制御部により行われる処理の流れを示したフローチャートである。
【図６】本実施形態の自動販売機における水回収処理の流れを示したフローチャートである。
【符号の説明】
【００５９】
１  電子機器
１００  自動販売機
１１４  生成水回収タンク
１１２  ポンプ（第１のポンプ）
１１３  ポンプ（第２のポンプ）
１１９  電子決済処理部
１２０  制御部
２００  電源システム
【図１】
2008041497.tif 000003
【図２】
2008041497.tif 000004
【図３】
2008041497.tif 000005
【図４】
2008041497.tif 000006
【図５】
2008041497.tif 000007
【図６】
2008041497.tif 000008